(57)【特許請求の範囲】
【請求項１】
像担持体の表面に静電潜像を形成するための光走査装置であって、
光源と、
前記光源から出射された光を偏向する偏向器と、
前記光源から出射された光を平行光に変換して前記偏向器へと導くためのコリメートレンズと、
前記コリメートレンズと前記偏向器の間に配置され、前記光源から出射された光の径を制限するアパーチャーと、
前記偏向器及び前記コリメートレンズを保持する本体部と、前記本体部の前記像担持体側の面を覆うカバーと、を有する筐体と、を備え、
前記カバーには、前記光源から前記コリメートレンズ、前記アパーチャー及び前記偏向器を介して前記像担持体に向かう光を通過させるための開口部が形成され、
前記カバーの内面には、前記光源から前記コリメートレンズ、前記アパーチャー及び前記偏向器を介さずに前記開口部に向かう光を遮断するための遮光部が、前記開口部の外周の少なくとも一部と対応する部分に突設されていることを特徴とする光走査装置。
【請求項２】
前記開口部のうちで前記光源から出射された光が通過しうる領域を通過可能領域とし、前記通過可能領域のうちで前記光源から最も離れた点を最大離間点とし、前記光源と前記最大離間点を結ぶ直線と前記コリメートレンズの入射面の交点を基準交点とし、
前記光源から出射された光の光軸と直交する方向における前記基準交点から前記遮光部までの距離をｄ１とし、
前記光軸と平行な方向における前記コリメートレンズの前記入射面から前記遮光部までの距離をｄ２とし、
前記光源と前記最大離間点を結ぶ直線と前記光軸の成す角をθとした場合に、
ｄ１／ｄ２＜ｔａｎθ
の関係が成り立つことを特徴とする請求項１に記載の光走査装置。
【請求項３】
像担持体の表面に静電潜像を形成するための光走査装置であって、
光源と、
前記光源から出射された光を偏向する偏向器と、
前記光源から出射された光を前記偏向器へと導くための入射光学素子と、
前記偏向器及び前記入射光学素子を保持する本体部と、前記本体部の前記像担持体側の面を覆うカバーと、を有する筐体と、を備え、
前記カバーには、前記光源から前記入射光学素子及び前記偏向器を介して前記像担持体に向かう光を通過させるための開口部が形成され、
前記カバーの内面には、前記光源から前記入射光学素子及び前記偏向器を介さずに前記開口部に向かう光を遮断するための遮光部が、前記開口部の外周の少なくとも一部と対応する部分に突設されており、
前記遮光部は、前記光源側から前記開口部側に向かって膨出する膨出部を備え、前記膨出部の前記光源側には凹部が形成され、
前記入射光学素子は、前記カバーの内面側から見て、前記遮光部とは重ならず、前記凹部と少なくとも部分的に重なるように配置されていることを特徴とする光走査装置。
【請求項４】
前記カバーの内面には、リブが突設され、
前記遮光部の長手方向両端部は、前記リブに接続されていることを特徴とする請求項１〜３のいずれか１項に記載の光走査装置。
【請求項５】
請求項１〜４のいずれか１項に記載の光走査装置を備えていることを特徴とする画像形成装置。
【発明の詳細な説明】
【技術分野】
【０００１】
本発明は、像担持体の表面に静電潜像を形成するための光走査装置及びこれを備えた画像形成装置に関する。
【背景技術】
【０００２】
従来、プリンター、複写機、ファクシミリ、複合機等の画像形成装置は、感光体ドラム等の像担持体の表面に静電潜像を形成するための光走査装置を備えている。
【０００３】
例えば、光源と、光源から出射された光を偏向する偏向器と、光源から出射された光を偏向器へと導くための入射光学素子と、偏向器及び入射光学素子を収容する筐体と、を備えた光走査装置が知られている（特許文献１参照）。上記の筐体には、通常、光源から入射光学素子及び偏向器を介して像担持体に向かう光を通過させるための開口部が形成されている。
【先行技術文献】
【特許文献】
【０００４】
【特許文献１】特開２０１４−７１２２３号公報
【発明の概要】
【発明が解決しようとする課題】
【０００５】
近年、光走査装置の小型化に伴って、光源から筐体の開口部を通過して像担持体に至る光路が狭い空間内に設けられることが多くなり、光源の近傍に筐体の開口部が形成される場合もある。このような場合に、光源から出射された光が筐体の開口部から漏れると、この光がフレア（反射光）となって像担持体に達し、画像不具合の原因となる恐れがある。
【０００６】
本発明は上記事情を考慮し、簡易な構成を用いて、光源から出射された光が筐体の開口部から漏れるのを防止することを目的とする。
【課題を解決するための手段】
【０００７】
本発明の光走査装置は、像担持体の表面に静電潜像を形成するための光走査装置であって、光源と、前記光源から出射された光を偏向する偏向器と、前記光源から出射された光を前記偏向器へと導くための入射光学素子と、前記偏向器及び前記入射光学素子を保持する本体部と、前記本体部の前記像担持体側の面を覆うカバーと、を有する筐体と、を備え、前記カバーには、前記光源から前記入射光学素子及び前記偏向器を介して前記像担持体に向かう光を通過させるための開口部が形成され、前記カバーの内面には、前記光源から前記入射光学素子及び前記偏向器を介さずに前記開口部に向かう光を遮断するための遮光部が、前記開口部の外周の少なくとも一部と対応する部分に突設されていることを特徴とする。
【０００８】
このようにカバーの内面に遮光部を突設することで、簡易な構成を用いて、光源から出射された光が筐体の開口部から漏れるのを防止することが可能となる。特に、開口部の外周に遮光部が突設されることで、光源から出射された光が開口部から漏れるのを効果的に防止することが可能となる。
【０００９】
前記開口部のうちで前記光源から出射された光が通過しうる領域を通過可能領域とし、前記通過可能領域のうちで前記光源から最も離れた点を最大離間点とし、前記光源と前記最大離間点を結ぶ直線と前記入射光学素子の入射面の交点を基準交点とし、前記光源から出射された光の光軸と直交する方向における前記基準交点から前記遮光部までの距離をｄ１とし、前記光軸と平行な方向における前記入射光学素子の前記入射面から前記遮光部までの距離をｄ２とし、前記光源と前記最大離間点を結ぶ直線と前記光軸の成す角をθとした場合に、ｄ１／ｄ２＜ｔａｎθの関係が成り立っても良い。
【００１０】
このような関係が成り立つことで、光源から出射された光が筐体の開口部から漏れるのを確実に防止することが可能となる。
【００１１】
前記遮光部は、前記光源側から前記開口部側に向かって膨出する膨出部を備え、前記膨出部の前記光源側には凹部が形成され、前記入射光学素子は、前記カバーの内面側から見て、前記遮光部とは重ならず、前記凹部と少なくとも部分的に重なるように配置されていても良い。
【００１２】
このような構成を採用することで、カバーを本体部に固定する際に遮光部が入射光学素子に接触するのを抑制することができ、遮光部との接触による入射光学素子の位置ずれを防止することが可能となる。
【００１３】
前記カバーの内面には、リブが突設され、前記遮光部の長手方向両端部は、前記リブに接続されていても良い。
【００１４】
このような構成を採用することで、簡易な構成を用いて、遮光部の強度を高めることが可能となる。
【００１５】
前記入射光学素子は、前記光源から出射された光を平行光に変換するためのコリメートレンズであっても良い。
【００１６】
本発明の画像形成装置は、上記した光走査装置を備えていることを特徴とする。
【発明の効果】
【００１７】
本発明によれば、簡易な構成を用いて、光源から出射された光が筐体の開口部から漏れるのを防止することが可能となる。
【図面の簡単な説明】
【００１８】
【図１】本発明の一実施形態に係る複合機の概略を示す模式図である。
【図２】本発明の一実施形態に係る光走査装置の内部を示す平面図である。
【図３】本発明の一実施形態に係る光走査装置と感光体ドラムを示す断面図である。
【図４】本発明の一実施形態に係る光走査装置の外観を示す斜視図である。
【図５】本発明の一実施形態に係る光走査装置において、筐体のカバーを示す下側からの斜視図である。
【図６】本発明の一実施形態に係る光走査装置において、第１遮光部及びその周辺を示す斜視図である。
【図７】本発明の一実施形態に係る光走査装置において、第１光源とコリメートレンズと第１開口部と第１遮光部の位置関係を示す底面図である。
【図８】本発明の一実施形態に係る光走査装置において、第１光源とコリメートレンズと第１開口部と第１遮光部の位置関係を示す断面図である。
【発明を実施するための形態】
【００１９】
以下、図面を参照しつつ、本発明の一実施形態に係る複合機１（画像形成装置）について説明する。各図に適宜付される矢印Ｆｒ、Ｒｒ、Ｌ、Ｒ、Ｕ、Ｌｏは、それぞれ複合機１の前側、後側、左側、右側、上側、下側を示している。
【００２０】
まず、複合機１の構成の概略について説明する。
【００２１】
図１に示されるように、複合機１は、箱型形状の複合機本体２（装置本体）を備えている。複合機本体２の上端部には、原稿画像を読み取るための画像読取装置３が設けられている。複合機本体２の上部には、画像読取装置３の下側に排紙トレイ４が設けられている。複合機本体２の上部には、排紙トレイ４の下側に４個のトナーコンテナ５Ｙ、５Ｍ、５Ｃ、５Ｋが収容されている。各トナーコンテナ５Ｙ、５Ｍ、５Ｃ、５Ｋは、それぞれイエロー、マゼンタ、シアン、ブラックのトナーを収容している。
【００２２】
複合機本体２の略中央部には、４個のトナーコンテナ５Ｙ、５Ｍ、５Ｃ、５Ｋの下側に中間転写ベルト６が収容されている。複合機本体２の略中央部には、中間転写ベルト６の下側に４個の画像形成部７Ｙ、７Ｍ、７Ｃ、７Ｋが収容されている。各画像形成部７Ｙ、７Ｍ、７Ｃ、７Ｋは、それぞれイエロー、マゼンタ、シアン、ブラックのトナーに対応している。各画像形成部７Ｙ、７Ｍ、７Ｃ、７Ｋは、感光体ドラム８（像担持体）と、帯電器９と、現像器１０と、一次転写ローラー１１と、クリーニング装置１２と、を備えている。一次転写ローラー１１は、感光体ドラム８との間に中間転写ベルト６を挟み込んでおり、中間転写ベルト６と感光体ドラム８の間には一次転写ニップＮ１が形成されている。
【００２３】
複合機本体２の下部には、４個の画像形成部７Ｙ、７Ｍ、７Ｃ、７Ｋの下側に左右一対の光走査装置１３が収容されている。左側の光走査装置１３は、画像形成部７Ｙ、７Ｍに対応しており、右側の光走査装置１３は、画像形成部７Ｃ、７Ｋに対応している。複合機本体２の下端部には、左右一対の光走査装置１３の下側に給紙カセット１４が収容されている。給紙カセット１４には、用紙Ｓ（記録媒体）が収納されている。
【００２４】
複合機本体２の右側部には、用紙Ｓの搬送経路１５が設けられている。搬送経路１５の下端部（上流端部）には、給紙部１６が設けられている。搬送経路１５の中流部には、二次転写ローラー１７が設けられている。二次転写ローラー１７と中間転写ベルト６の間には、二次転写ニップＮ２が形成されている。搬送経路１５の上部（下流部）には、定着装置１８が設けられている。搬送経路１５の上端部（下流端部）には、排紙ユニット１９が設けられている。
【００２５】
次に、このような構成を備えた複合機１の動作について説明する。
【００２６】
複合機１に対して印刷開始の指示がなされると、まず、帯電器９が感光体ドラム８の表面を帯電させる。次に、光走査装置１３からの光（図１の矢印Ｐ参照）によって、感光体ドラム８の表面に静電潜像が形成される。次に、トナーコンテナ５Ｙ、５Ｍ、５Ｃ、５Ｋから供給されるトナーを用いて、現像器１０が静電潜像を現像し、トナー像を形成する。このトナー像は、一次転写ニップＮ１において中間転写ベルト６の表面に一次転写される。以上のような動作が各画像形成部７Ｙ、７Ｍ、７Ｃ、７Ｋにおいて行われることで、中間転写ベルト６上にフルカラーのトナー像が形成される。なお、感光体ドラム８上に残留したトナーは、クリーニング装置１２によって除去される。
【００２７】
また、給紙部１６によって給紙カセット１４から取り出された用紙Ｓは、搬送経路１５を下流側へと搬送されて、二次転写ニップＮ２に進入する。この二次転写ニップＮ２において、中間転写ベルト６上に形成されたフルカラーのトナー像が用紙Ｓに二次転写される。トナー像を二次転写された用紙Ｓは、搬送経路１５を更に下流側へと搬送されて、定着装置１８に進入する。この定着装置１８において、用紙Ｓにトナー像が定着される。トナー像が定着された用紙Ｓは、排紙ユニット１９によって排紙トレイ４上に排出される。
【００２８】
次に、光走査装置１３について、図２〜図８を用いて詳細に説明する。なお、上記のように、本実施形態の複合機１には光走査装置１３が左右一対で設けられているが、各光走査装置１３の構成は略同一である。そのため、以下、左側の光走査装置１３（画像形成部７Ｙ、７Ｍに対応する光走査装置１３）についてのみ説明を行い、右側の光走査装置１３（画像形成部７Ｃ、７Ｋに対応する光走査装置１３）については説明を省略する。
【００２９】
図２に示されるように、光走査装置１３は、ポリゴンミラー２０（偏向器）と、ポリゴンミラー２０の右上側から右下側に亘って配置される第１走査ユニット２１と、ポリゴンミラー２０の左上側から左下側に亘って配置される第２走査ユニット２２と、ポリゴンミラー２０及び第１、第２走査ユニット２１、２２を収容する筐体２３と、を備えている。
【００３０】
まず、ポリゴンミラー２０について説明する。ポリゴンミラー２０は、筐体２３の略中央部（正確には、筐体２３の中央部よりも僅かに前側の部分）に収容されている。ポリゴンミラー２０は、平面視で正六角形状を成しており、６個の反射面２９を備えている。ポリゴンミラー２０の下方にはポリゴンモーター３０が設けられており、ポリゴンモーター３０が駆動すると、上下方向に延びる回転軸２８（中心軸）を中心にポリゴンミラー２０が回転するように構成されている。ポリゴンミラー２０の回転軸２８は、光走査装置１３の重心と一致している。なお、図２の二点鎖線Ａは、ポリゴンミラー２０の回転軸２８と直交する軸線（以下、「軸線Ａ」と称する）を示している。軸線Ａは、前後方向に延びている。つまり、本実施形態における「軸線方向」は、前後方向である。
【００３１】
次に、第１走査ユニット２１について説明する。第１走査ユニット２１は、筐体２３の右側部（軸線Ａよりも右側の部分）に収容されている。なお、図２の矢印Ｙ１は、第１走査ユニット２１の走査方向を示している。
【００３２】
第１走査ユニット２１は、ポリゴンミラー２０の右後方に配置される第１光源３１と、第１光源３１とポリゴンミラー２０の間に配置される第１入射光学系４１と、ポリゴンミラー２０の右方に配置される第１結像光学系５１と、ポリゴンミラー２０の右後方に配置される第１同期ミラー６１と、第１同期ミラー６１の前方に配置される第１同期センサー７１と、を備えている。
【００３３】
第１光源３１は、例えば、レーザーダイオードによって構成されており、左前側（ポリゴンミラー２０側）に向かって光を出射するように構成されている。図２において太線Ｈで囲まれている領域は、第１光源３１から出射された光が通過する領域を示している。図２の一点鎖線Ｌ１は、第１光源３１から出射された光の光軸（以下、「光軸Ｌ１」と称する）を示している。
【００３４】
第１入射光学系４１は、光軸Ｌ１上に配置されている。第１入射光学系４１は、光軸Ｌ１上の第１光源３１側からポリゴンミラー２０側に向かって順番に、コリメートレンズ４３（入射光学素子）と、第１アパーチャー４４と、シリンドリカルレンズ４５と、第２アパーチャー４６と、を備えている。以下、単にコリメートレンズ４３、第１アパーチャー４４、シリンドリカルレンズ４５、第２アパーチャー４６という場合には、第１入射光学系４１の素子を指すものとする。
【００３５】
図３に示されるように、第１結像光学系５１は、ポリゴンミラー２０から画像形成部７Ｍの感光体ドラム８に至る光路Ｍ１上に配置されている。第１結像光学系５１は、光路Ｍ１上のポリゴンミラー２０側から感光体ドラム８側に向かって順番に、第１ｆθレンズ５３と、第２ｆθレンズ５４と、第１ミラー５５と、第２ミラー５６と、第３ミラー５７と、を備えている。以下、単に第１ｆθレンズ５３、第２ｆθレンズ５４、第１ミラー５５、第２ミラー５６、第３ミラー５７という場合には、第１結像光学系５１の素子を指すものとする。
【００３６】
図２に示されるように、第１同期ミラー６１は、筐体２３の右後部に収容されている。第１同期センサー７１は、筐体２３の右前部に収容されている。
【００３７】
次に、第２走査ユニット２２について説明する。第２走査ユニット２２は、筐体２３の左側部（軸線Ａよりも左側の部分）に収容されており、軸線Ａを挟んで第１走査ユニット２１と対向している。つまり、本実施形態の光走査装置１３は、軸線Ａを挟んで対向する一対の走査ユニット２１、２２を備えた「対向走査方式」の光走査装置１３である。なお、図２の矢印Ｙ２は、第２走査ユニット２２の走査方向を示している。
【００３８】
第２走査ユニット２２は、ポリゴンミラー２０の左後方に配置される第２光源３２と、第２光源３２とポリゴンミラー２０の間に配置される第２入射光学系４２と、ポリゴンミラー２０の左方に配置される第２結像光学系５２と、ポリゴンミラー２０の左前方に配置される第２同期ミラー６２と、第２同期ミラー６２の後方に配置される第２同期センサー７２と、を備えている。
【００３９】
第２光源３２は、例えば、レーザーダイオードによって構成されており、右前側（ポリゴンミラー２０側）に向かって光を出射するように構成されている。図２の一点鎖線Ｌ２は、第２光源３２から出射された光の光軸（以下、「光軸Ｌ２」と称する）を示している。
【００４０】
第２入射光学系４２は、光軸Ｌ２上に配置されている。第２入射光学系４２は、第１入射光学系４１と略左右対称であるため、第２入射光学系４２の各素子に第１入射光学系４１の各素子と同一の参照符号を付し、説明を省略する。
【００４１】
図３に示されるように、第２結像光学系５２は、ポリゴンミラー２０から画像形成部７Ｙの感光体ドラム８に至る光路Ｍ２上に配置されている。第２結像光学系５２は、第１結像光学系５１と略左右対称であるため、第２結像光学系５２の各素子に第１結像光学系５１の各素子と同一の参照符号を付し、説明を省略する。
【００４２】
図２に示されるように、第２同期ミラー６２は、筐体２３の左前隅部に収容されている。第２同期センサー７２は、筐体２３の左後部に収容されている。
【００４３】
次に、筐体２３について説明する。筐体２３は、樹脂により形成されている。図３、図４に示されるように、筐体２３は、本体部７７と、本体部７７の下面（感光体ドラム８から離間する側の面）を覆う底蓋７８と、本体部７７の上面（感光体ドラム８側の面）を覆うカバー７９と、を有している。
【００４４】
図２に示されるように、筐体２３の本体部７７は、平面視で略矩形状を成している。本体部７７は、ポリゴンミラー２０及び第１、第２走査ユニット２１、２２を保持している。
【００４５】
筐体２３の本体部７７の右後部には第１固定穴８１が設けられている。本体部７７の左後部には第２固定穴８２が設けられている。本体部７７の前端部には第３固定穴８３が設けられている。そして、第１〜第３固定穴８１〜８３を貫通するビス（図示せず）の先端部が複合機本体２に設けられたビス穴（図示せず）に螺合することで、筐体２３が複合機本体２に固定されている。
【００４６】
図４に示されるように、本体部７７の左右両側面（図４では、左側面のみを表示）の下部には一対の下側係合突起８４が設けられ、本体部７７の左右両側面の上部には一対の上側係合突起８５が設けられている。
【００４７】
筐体２３の底蓋７８の周囲には、下側枠８６が設けられている。下側枠８６の左右両側部（図４では、左側部のみを表示）には一対の下側係合穴８７が設けられており、各下側係合穴８７を本体部７７の各下側係合突起８４に係合させることで、底蓋７８が本体部７７に固定されている。
【００４８】
筐体２３のカバー７９の周囲には、上側枠８８が設けられている。上側枠８８の左右両側部（図４では、左側部のみを表示）には一対の上側係合穴８９が設けられており、各上側係合穴８９を本体部７７の各上側係合突起８５に係合させることで、カバー７９が本体部７７に固定されている。
【００４９】
筐体２３のカバー７９の右側部には第１開口部９１が形成されている。第１開口部９１は、前後方向に長い矩形状を成している。第１開口部９１の上面は、防塵部材９３によって覆われている。防塵部材９３は、第１開口部９１と対応して前後方向に長い矩形状を成している。防塵部材９３は、例えば、板ガラスによって形成されており、透明性を有している。図２に示されるように、第１開口部９１は、光軸Ｌ１に対して傾斜する方向に延びている。以下、第１開口部９１のうちで第１光源３１から出射された光が通過しうる領域（図２において斜線が表示されている領域）を、「通過可能領域」とする。図２の点Ｄは、通過可能領域のうちで第１光源３１から最も離れた点（以下、「最大離間点Ｄ」と称する）を示している。
【００５０】
図４に示されるように、筐体２３のカバー７９の左側部には第２開口部９２が設けられている。第２開口部９２の構成は、第１開口部９１の構成と同様であるため、説明を省略する。
【００５１】
図５、図６に示されるように、筐体２３のカバー７９の内面（下面）の右後部には、防塵用の第１リブ１０１が突設されている。第１リブ１０１は、光軸Ｌ１と交差する方向に沿って延びる基壁部１０３と、基壁部１０３の両端部から第１開口部９１側に向かって屈曲され、光軸Ｌ１と平行に延びる一対の側壁部１０４と、を備えている。
【００５２】
筐体２３のカバー７９の内面には、第１開口部９１の外周の一部と対応する部分（本実施形態では、第１開口部９１の後方）に、第１開口部９１の外周と接しないように第１遮光部１１１が突設されている。第１遮光部１１１は、膨出部１１３と、膨出部１１３の両側に設けられる一対の平板部１１４と、を備えている。
【００５３】
第１遮光部１１１の膨出部１１３は、第１光源３１側から第１開口部９１側に向かって円弧状に膨出している。図７に示されるように、膨出部１１３の第１光源３１側には凹部１１５（太線で囲まれている部分）が形成されている。コリメートレンズ４３は、カバー７９の内面側（下側）から見て、第１遮光部１１１とは重ならず、凹部１１５と部分的に重なるように配置されている。
【００５４】
図５、図６に示されるように、第１遮光部１１１の各平板部１１４は、光軸Ｌ１と交差する方向に沿って延びている。各平板部１１４の光軸Ｌ１側の端部は、膨出部１１３の両端部に接続されている。各平板部１１４の光軸Ｌ１から離間する側の端部（第１遮光部１１１全体の長手方向両端部に相当する）は、第１リブ１０１の各側壁部１０４に接続されている。
【００５５】
図８に示されるように、第１光源３１と第１開口部９１の最大離間点Ｄを結ぶ直線は、コリメートレンズ４３の入射面４３ａとの交点（以下、「基準交点Ｓ」と称する）を有している。光軸Ｌ１と直交する方向（鉛直方向）における基準交点Ｓから第１遮光部１１１までの距離をｄ１とし、光軸Ｌ１と平行な方向におけるコリメートレンズ４３の入射面４３ａから第１遮光部１１１までの距離をｄ２とし、第１光源３１と第１開口部９１の最大離間点Ｄを結ぶ直線と光軸Ｌ１の成す角をθとした場合に、本実施形態では、
ｄ１／ｄ２＜ｔａｎθ
の関係が成り立っている。
【００５６】
図５に示されるように、筐体２３のカバー７９の内面の左後部には、防塵用の第２リブ１０２が突設されている。第２リブ１０２は、第１リブ１０１と略左右対称であるため、第２リブ１０２の各構成要素に第１リブ１０１の各構成要素と同一の参照符号を付し、説明を省略する。
【００５７】
筐体２３のカバー７９の内面には、第２開口部９２の外周の一部と対応する部分（本実施形態では、第２開口部９２の後方）に第２遮光部１１２が突設されている。第２遮光部１１２は、第１遮光部１１１と略左右対称であるため、第２遮光部１１２の各構成要素に第１遮光部１１１の各構成要素と同一の参照符号を付し、説明を省略する。
【００５８】
上記のように構成された光走査装置１３において、第１光源３１から出射された光（図２の光軸Ｌ１参照）は、コリメートレンズ４３によって平行光に変換され、第１アパーチャー４４によって主走査方向又は副走査方向のいずれか一方にのみ径を制限される。第１アパーチャー４４を通過した光は、シリンドリカルレンズ４５を通過し、第２アパーチャー４６によって主走査方向又は副走査方向のいずれか他方にのみ径を制限される。第２アパーチャー４６を通過した光は、ポリゴンミラー２０に到達する。このように、第１光源３１から出射された光は、第１入射光学系４１によってポリゴンミラー２０へと導かれる。
【００５９】
ポリゴンミラー２０へと導かれた光は、ポリゴンミラー２０によって偏向される。この偏向された光（図３の光路Ｍ１参照）は、第１、第２ｆθレンズ５３、５４によって等速度で集光され、第１〜第３ミラー５５〜５７によって順次反射される。この反射された光は、筐体２３のカバー７９の第１開口部９１及び防塵部材９３を通過して、画像形成部７Ｍの感光体ドラム８の表面に到達する。このように、ポリゴンミラー２０によって偏向された光は、第１結像光学系５１によって画像形成部７Ｍの感光体ドラム８の表面へと導かれる。これにより、画像形成部７Ｍの感光体ドラム８の表面に静電潜像が形成される。
【００６０】
以上のように、第１光源３１からコリメートレンズ４３及びポリゴンミラー２０を介して画像形成部７Ｍの感光体ドラム８に向かう光は、筐体２３のカバー７９の第１開口部９１を通過する。一方で、第１光源３１からコリメートレンズ４３及びポリゴンミラー２０を介さずに第１開口部９１に向かう光（図６の矢印Ｘ参照）は、筐体２３のカバー７９に設けられた第１遮光部１１１によって遮断される。
【００６１】
また、ポリゴンミラー２０によって偏向された第１光源３１からの光のうち、有効走査領域（画像形成部７Ｍの感光体ドラム８の表面に静電潜像を形成可能な領域）外に向かう光の一部は、第１、第２ミラー５５、５６によって反射され、第３ミラー５７には反射されずに第１同期ミラー６１によって第１同期センサー７１へと反射され、第１同期センサー７１に到達する（図２の一点鎖線Ｚ１参照）。第１同期センサー７１は、ポリゴンミラー２０によって偏向された第１光源３１からの光を受光すると、静電潜像の書き出し位置の同期信号を検出する。この同期信号に基づいて、第１走査ユニット２１について静電潜像の書き出し位置の同期が取られる（静電潜像の書き出し位置が揃えられる）。
【００６２】
また、第２光源３２から出射された光（図２の光軸Ｌ２参照）は、第２入射光学系４２によってポリゴンミラー２０へと導かれ、ポリゴンミラー２０によって偏向される。ポリゴンミラー２０によって偏向された光（図３の光路Ｍ２参照）は、第２結像光学系５２によって画像形成部７Ｙの感光体ドラム８の表面へと導かれる。これにより、画像形成部７Ｙの感光体ドラム８の表面に静電潜像が形成される。
【００６３】
なお、第２光源３２から第２入射光学系４２及びポリゴンミラー２０を介して画像形成部７Ｙの感光体ドラム８に向かう光は、筐体２３のカバー７９の第２開口部９２を通過する。一方で、第２入射光学系４２及びポリゴンミラー２０を介さずに第２開口部９２に向かう光は、筐体２３のカバー７９に設けられた第２遮光部１１２によって遮断される。
【００６４】
また、ポリゴンミラー２０によって偏向された第２光源３２からの光のうち、有効走査領域外に向かう光の一部は、第２同期ミラー６２によって第２同期センサー７２へと反射され、第２同期センサー７２に到達する（図２の一点鎖線Ｚ２参照）。第２同期センサー７２は、ポリゴンミラー２０によって偏向された第２光源３２からの光を受光すると、静電潜像の書き出し位置の同期信号を検出する。この同期信号に基づいて、第２走査ユニット２２について静電潜像の書き出し位置の同期が取られる（静電潜像の書き出し位置が揃えられる）。
【００６５】
本実施形態では上記のように、第１光源３１からコリメートレンズ４３及びポリゴンミラー２０を介さずに筐体２３のカバー７９の第１開口部９１に向かう光を遮断するための第１遮光部１１１が筐体２３のカバー７９の内面に突設されている。そのため、簡易な構成を用いて、第１光源３１から出射された光が第１開口部９１から漏れるのを防止することが可能となる。これに伴って、光走査装置１３の製造コストの上昇を抑制しつつ、良好な出力画像を得ることが可能となる。特に、第１開口部９１の外周の一部と対応する部分に第１遮光部１１１が突設されているため、第１光源３１から出射された光が第１開口部９１から漏れるのを効果的に防止することが可能となる。
【００６６】
また、第１光源３１から出射された光が第１開口部９１から漏れるのを防止することができるため、第１走査ユニット２１の光路を狭い空間内に設けることが可能となる。これに伴って、光走査装置１３を小型化することができる。
【００６７】
また、光軸Ｌ１と直交する方向（鉛直方向）における基準交点Ｓから第１遮光部１１１までの距離をｄ１とし、光軸Ｌ１と平行な方向におけるコリメートレンズ４３の入射面４３ａから第１遮光部１１１までの距離をｄ２とし、第１光源３１と第１開口部９１の最大離間点Ｄを結ぶ直線と光軸Ｌ１の成す角をθとした場合に、本実施形態では、
ｄ１／ｄ２＜ｔａｎθ
の関係が成り立っている。このような関係が成り立つことで、第１光源３１から出射された光が筐体２３のカバー７９の第１開口部９１から漏れるのを確実に防止することが可能となる。
【００６８】
また、コリメートレンズ４３は、筐体２３のカバー７９の内面側から見て、第１遮光部１１１とは重ならず、凹部１１５と部分的に重なるように配置されている。このような構成を採用することで、筐体２３のカバー７９を本体部７７に固定する際に第１遮光部１１１がコリメートレンズ４３に接触するのを抑制することができ、第１遮光部１１１との接触によるコリメートレンズ４３の位置ずれを防止することが可能となる。
【００６９】
また、筐体２３のカバー７９の内面には、第１リブ１０１が突設され、第１遮光部１１１の長手方向両端部は、第１リブ１０１に接続されている。そのため、簡易な構成を用いて、第１遮光部１１１の強度を高めることが可能となる。
【００７０】
なお、第１遮光部１１１について発揮される上記各作用効果は、第２遮光部１１２についても同様に発揮される。
【００７１】
本実施形態では、筐体２３のカバー７９の第１開口部９１が防塵部材９３によって覆われている場合について説明した。一方で、他の異なる実施形態において、開口部を介して筐体の内部に塵が入る可能性が低い場合（例えば、筐体の本体部の下面を覆うカバーに開口部が設けられる場合）には、開口部が防塵部材によって覆われていなくても良い。
【００７２】
本実施形態では、カバー７９の内面側（下側）から見て、コリメートレンズ４３が凹部１１５と部分的に重なるように配置される場合について説明した。一方で、他の異なる実施形態では、カバーの内面側から見て、入射光学素子が凹部と全体的に重なるように配置されていても良い。
【００７３】
本実施形態では、第１開口部９１が光軸Ｌ１に対して傾斜する方向に延びており、最大離間点Ｄが第１開口部９１の左側部（幅方向一側部）に形成される場合について説明した（図２参照）。一方で、他の異なる実施形態では、開口部が光軸に対して平行に延びており、最大離間点が開口部の長手方向一端部に形成されていても良い。
【００７４】
本実施形態では、第１遮光部１１１の膨出部１１３が第１光源３１側から第１開口部９１側に向かって円弧状に膨出する場合について説明した。一方で、他の異なる実施形態では、遮光部の膨出部が光源側から開口部側に向かってＶ字状又はコ字状等の円弧状以外の形状で膨出していても良い。
【００７５】
本実施形態では、第１開口部９１の外周の一部と対応する部分に第１遮光部１１１が突設される場合について説明した。一方で、他の異なる実施形態では、開口部の外周の全部と対応する部分に開口部を囲むようにして遮光部が突設されていても良い。
【００７６】
本実施形態では、第１開口部９１の外周と接しないように第１遮光部１１１が突設される場合について説明した。一方で、他の異なる実施形態では、開口部の外周と接するように遮光部が突設されていても良い。
【００７７】
本実施形態では、回転可能なポリゴンミラー２０を偏向器として用いる場合について説明した。一方で、他の異なる実施形態では、ＭＥＭＳ（Micro  Electro  Mechanical  System）ミラーやガルバノミラー等の揺動可能な偏向器等を用いても良い。
【００７８】
本実施形態では、複合機１に本発明の構成を適用する場合について説明したが、他の異なる実施形態では、プリンター、複写機、ファクシミリ等の複合機以外の画像形成装置に本発明の構成を適用しても良い。
【符号の説明】
【００７９】
１  複合機（画像形成装置）
８  感光体ドラム（像担持体）
１３  光走査装置
２０  ポリゴンミラー（偏向器）
２３  筐体
３１  第１光源
３２  第２光源
４３  コリメートレンズ（入射光学素子）
４３ａ  （コリメートレンズの）入射面
７７  本体部
７９  カバー
９１  第１開口部
９２  第２開口部
１０１  第１リブ
１０２  第２リブ
１１１  第１遮光部
１１２  第２遮光部
１１３  膨出部
１１５  凹部
Ｄ  最大離間点
Ｓ  基準交点
【図１】
0006332075.tif 000002
【図２】
0006332075.tif 000003
【図３】
0006332075.tif 000004
【図４】
0006332075.tif 000005
【図５】
0006332075.tif 000006
【図６】
0006332075.tif 000007
【図７】
0006332075.tif 000008
【図８】
0006332075.tif 000009